(57)【要約】【目的】本体データを単に提示するだけでなく、そのデータに関連する付帯データを同時に提示することができ、より表現力豊かなデータの提示ができる情報提示装置を提供すること。【構成】情報としてユーザに提示する本体データを管理する本体データ管理手段と、本体データにユーザが属性を付与する属性付与手段と、属性に応じて付帯データを選出する付帯データ選出手段と、本体データと共に該付帯データをユーザに提示する提示手段と、を含んで情報提示装置を構成する。【選択図】      図１
2004280421.tif 000002
【特許請求の範囲】
【請求項１】
情報としてユーザに提示する本体データを管理する本体データ管理手段と、本体データにユーザが属性を付与する属性付与手段と、属性に応じて付帯データを選出する付帯データ選出手段と、本体データと共に該付帯データをユーザに提示する提示手段と、を有することを特徴とする情報提示装置。
【請求項２】
属性付与手段が本体データに関連する者を特定する関連者特定手段と、関連者に対する属性をユーザが付与する関連者属性付与手段から構成されることを特徴とする請求項１記載の情報提示装置。
【請求項３】
本体データと付帯データを合わせて提示するか、本体データだけを提示するかをユーザが指示できる提示方法指示手段を有し、提示手段が該提示方法指示手段の出力に応じた提示方法をすることを特徴とする請求項１記載の情報提示装置。
【請求項４】
本体データと付帯データを合わせて提示するか、本体データだけを提示するかを決定する提示方法決定手段を有し、提示手段が該提示方法決定手段の出力に応じた提示方法をすることを特徴とする請求項１記載の情報提示装置。
【請求項５】
提示する本体データの内容を分析するデータ内容分析手段を有し、付帯データ選出手段が属性と共に該データ内容分析手段の出力に基づいて選出を行うものであることを特徴とする請求項１記載の情報提示装置。
【請求項６】
属性付与手段により付与される属性の種類をユーザが定義できる属性定義手段を有することを特徴とする請求項１記載の情報提示装置。
【請求項７】
付帯データ選出手段により選出される付帯データをユーザが定義できる付帯データ定義手段を有することを特徴とする請求項１記載の情報提示装置。
【請求項８】
情報提示手段がデータを視覚情報として表示することを特徴とする請求項１記載の情報提示装置。
【請求項９】
情報提示手段がデータを音声情報として出力することを特徴とする請求項１記載の情報提示装置。
【請求項１０】
関連者特定手段により特定される関連者が本体データの作成者や発信者であることを特徴とする請求項２記載の情報提示装置。
【請求項１１】
データ管理手段で管理される本体データが画像であり、関連特定手段により特定される関連者が該画像の被写体であることを特徴とする請求項２記載の情報提示装置。
【発明の詳細な説明】
【０００１】
【発明の属する技術分野】
本発明は、電子メール閲覧装置やウェブブラウザ、デジタル画像閲覧装置、文書読み上げ装置等のユーザに情報を提示する装置に関する。特に、単にユーザに情報を提示するだけでなく、それに関する付帯情報を同時に提示する装置に関する。
【０００２】
【従来の技術】
従来の情報提示装置は、データをそのままユーザに提示するか、例えば広告付きの電子メールやウェブブラウザのように本体のデータに広告データを合わせて提示したりしている。
【０００３】
電子メールでは特開２０００−２１５１２２記載の発明によれば、発信者の端末に記憶された発信者の属性をメールデータに添付して送信し、メッセージの中継装置がその属性に対応した広告データをメールデータに添付することにより、ユーザの端末では本体のメールデータに加えて広告データが提示することができる。
【０００４】
【発明が解決しようとする課題】
しかしながら、上記従来の技術では、本体のデータに合わせて提示される付帯データが、ユーザの意図ではなく、発信者側の意図により提示されてしまうという問題がある。
【０００５】
本発明は上記問題に鑑みてなされたもので、その目的とする処は、本体データを単に提示するだけでなく、そのデータに関連する付帯データを同時に提示することができ、より表現力豊かなデータの提示ができる情報提示装置を提供することにある。
【０００６】
【課題を解決するための手段】
上記目的を達成するため、本発明は、情報としてユーザに提示する本体データを管理する本体データ管理手段と、本体データにユーザが属性を付与する属性付与手段と、属性に応じて付帯データを選出する付帯データ選出手段と、本体データと共に該付帯データをユーザに提示する提示手段と、を含んで情報提示装置を構成したことを特徴とする。
【０００７】
【発明の実施の形態】
以下に本発明の実施の形態を添付図面に基づいて説明する。
【０００８】
＜実施の形態１＞
先ず、本発明の実施の形態１を図１〜図９を用いて説明する。
【０００９】
図１は本実施の形態に係る情報提示装置の概略構成を示すブロック図である。同図において、１はユーザに提示する本体データとしてのメールメッセージの管理を行う本文メッセージ管理部、２は本体データと共に提示される付帯データとしての付加メッセージを選出する付加メッセージ選出部、３は本文メッセージのパラグラフを解析するパラグラフ解析部、４はメールメッセージの発信者とその属性を関連付ける発信者−属性テーブル、５は４の属性と３の出力であるパラグラフ分類の組と付加メッセージを関連付ける属性−パラグラフ分類テーブル、６は５と関連付けられる付加メッセージの集合を格納する付加メッセージリスト、７は選出された付加メッセージを本文メッセージに挿入する付加メッセージ挿入部、８はメッセージの表示を行ったりユーザからの入力を受け付けたりするＧＵＩである。
【００１０】
図２は図１の発信者−属性テーブル４の構造を示す図である。
【００１１】
図２において、２１はメッセージ発信者のメールアドレス、２２は発信者の名前、２３は発信者の属性であり、２４は１人の発信者についてのエントリである。ここで、メールアドレス２１は全てのエントリについてユニークである。又、属性２３は各エントリについて複数割り当てられている場合もある。図２のテーブルはユーザが管理するアドレス帳の一部として実装されている。
【００１２】
図３はアドレス帳をユーザが編集する際の画面であり、３１はアドレス帳編集画面のウィンドウ、３２メールアドレス、３３は名前、３４は属性、３５は電話番号、３６は住所のそれぞれ入力フィールドである。この一画面で入力されるデータが図２の２４で示される発信者一人のエントリに相当する。
【００１３】
図４は図３においてユーザが属性入力フィールド３４をポインティングデバイスによって指示した後の画面であり、３７は属性入力のためのポップアップである。３７には現在登録されている属性のリストが表示されていて、属性名の前に「×」が付いているのはその属性が現在編集中の発信者に付与されていることを示す。３７表示中に「×」が付いていない属性を指示するとその属性はキャンセルされ、付いていない属性を指示するとその属性が新たに付与され、それぞれの場合に３７は閉じる。
【００１４】
図５は図１の属性−パラグラフ分類テーブルを示す図であり、５１は属性、５２は図１のパラグラフ解析部３の出力であるパラグラフ分類、図１の付加メッセージリスト６である。
【００１５】
図５において、５４は属性とパラグラフ分類の一対に対して１つの付加メッセージリストが対応することを示している。尚、付加メッセージリストには複数の付加メッセージが含まれる。
【００１６】
図６は付加メッセージをユーザが編集する画面を示す図であり、６１は付加メッセージ編集のウィンドウである。６２は属性、６３はパラグラフ分類、６４は付加メッセージのそれぞれ入力フィールドである。ここで、６２と６３での入力値が同じ場合の６４で入力した文字列が集められて図５の付加メッセージリスト５３となる。又、６２の属性値として入力した文字列が図４のポップアップ３７に現れる属性の選択肢の１つとなる。
【００１７】
図７は本実施の形態に係る情報提示装置がメールメッセージを表示している画面であり、７１はメッセージ表示ウィンドウ、７２はメールヘッダ表示エリアで発信者（差出人）とタイトルを表示している。７３はメッセージ本体表示エリアであり、７４はメッセージ本体に付加メッセージを挿入するためのボタンである。メッセージ本体で少なくとも１つの空行で区切られた部分がパラグラフで、同図においては７５，７６，７７の３つのパラグラフがある。
【００１８】
図８は図７においてボタン７４が押されて追加メッセージ８１，８２，８３がそれぞれ３つのパラグラフの後に挿入されている状態を示す。
【００１９】
図９は図７及び図８においてメッセージが表示される手順を示すフローチャートである。
【００２０】
以下、図９を用いて処理を説明する。
【００２１】
１．本文のメッセージを本文メッセージ管理部から読み出す（ステップＳ１）。
【００２２】
２．付加メッセージを挿入するかどうかを判断するためのフラグを調べる（ステップＳ２）。
【００２３】
図７及び図８においてボタン７４を押すとこのフラグがｏｎ／ｏｆｆのトグル動作を行う。Ｓ２においてフラグがｏｆｆの場合はステップＳ１０へ（図７の場合）、ｏｎの場合はステップＳ３へ（図８の場合）。
【００２４】
３．本文メッセージ管理部１から読み出したメッセージの発信者を得る（ステップＳ３）。
【００２５】
４．本文メッセージからパラグラフを抽出する（ステップＳ４）。
【００２６】
５．パラグラフが存在するかどうか調べ、存在すればステップＳ６へ、存在しなければステップＳ１０へ（ステップＳ５）。
【００２７】
６．パラグラフ解析部３にステップＳ４で抽出したパラグラフを与え、パラグラフの分類を得る（ステップＳ６）。パラグラフの分類は、パラグラフに現れるキーワードとその頻度から行う。
【００２８】
７．発信者−属性テーブル４を調べてステップＳ３で得られた発信者に対応するエントリを探し出し、そのエントリに登録されている属性を得る。属性が複数ある場合はどれか１つをランダムに取り出す（ステップＳ７）。
【００２９】
８．属性−パラグラフ分類テーブル５を調べて、ステップＳ６で得られたパラグラフ分類とステップＳ７で得られた属性の組に対応する付加メッセージリストを得る。付加メッセージリストの要素１つをランダムに選んでパラグラフの後ろに挿入する付加メッセージとする（ステップＳ８）。
【００３０】
９．ステップＳ４で抽出したパラグラフの後ろにステップＳ８で選出された付加メッセージを挿入する（ステップＳ９）。挿入後は次のパラグラフを抽出するためにステップＳ４に戻る。
【００３１】
１０．以上までに得られたメッセージをメッセージ本体表示部７３に表示する。
【００３２】
＜実施の形態２＞
本実施の形態は、実施の形態１に加えて以下の機能を持つ。
【００３３】
図６において、８１，８２，８３等の付加メッセージを表示する際に、属性に応じたフォントや表示色を使用する。例えば、属性「天敵」の場合はおどろおどろしいフォントを、又、属性が「恋人」でその属性が付与された発信者が女性の場合は表示色としてピンクを用いるといったような機能である。
【００３４】
＜実施の形態３＞
図１０は本発明の実施の形態３を示すブロック図である。
【００３５】
図１０に示すように、実施の形態１と違って、メッセージを視覚表示ではなく音声出力するための音声合成部９が図１に加わっている。動作に関しては図９とほぼ同じであるが、ステップＳ１０のメッセージ表示がメッセージの音声出力となる。
【００３６】
＜実施の形態４＞
本発明の実施の形態１を図１１〜図１６を用いて説明する。
【００３７】
図１１は本実施の形態に係る情報提示装置の概略構成を示すブロック図である。
【００３８】
図１１において、１０１はユーザに提示されるデータとしての画像を管理する本体画像管理部、１０２は付帯データとして提示される合成画像を選び出す合成画像選出部、１０３は本体画像の被写体と属性を関連付ける被写体−属性テーブル、１０４は属性に対応する合成画像を格納する合成画像リスト、１０５は本体画像と合成画像を合成する画像合成部、１０６は合成された画像をユーザに表示したりユーザからの入力を受け付けたりするＧＵＩである。
【００３９】
本実施の形態においても、実施の形態１と同じようにユーザの知人等を管理するアドレス帳を持ち、各人に対応するアドレス帳の各エントリには属性が与えられている。
【００４０】
図１２は属性と合成画像リスト１０４の関連を示す図である。
【００４１】
図１２において、１２１と１２４の２つの属性が各々１２２と１２３、１２５と１２６の合成画像から成る合成画像リストを持つことを示している。
【００４２】
図１３は本実施の形態において本体画像管理部１０１に格納された画像の１つを表示している図である。
【００４３】
図１３において、１３１は画像表示ウィンドウ、１３２は画像表示エリア、１３３は本体画像、１３４は本体画像管理部１０１に格納されている次の画像を表示するためのボタン、１３５は同じく前の画像を表示するためのボタン、１３６は現在表示されている画像を削除するためのボタン、１３７は現在表示されている画像の被写体をアドレス帳から選び出すためのボタンである。
【００４４】
図１４は図１３においてボタン１３７を押した後の画面を示す図であり、１４１は被写体設定ウィンドウ、１４２は被写体リスト、１４３は選択されている被写体、１４４は設定ボタン、１４５はキャンセルボタンである。同図において、設定ボタン１４４を押すと、この画面に来る前に図１３で表示されていた画像の被写体として１４３で選択されているものが設定される。
【００４５】
図１５は本体画像に被写体の属性に応じた合画像が合成された図であり、１３８，１３９はその合成画像、１４０は合成画像を取り除き本体画像だけを表示するためのボタンである。
【００４６】
図１６は図１３及び図１５において画像が表示される手順を示すフローチャートである。以下、図１６を用いて処理を説明する。
【００４７】
１．本体画像管理部１０１から本体画像を読み込む（ステップＴ１）。
【００４８】
２．本体画像を１３２の画像表示エリアに表示する（ステップＴ２）。
【００４９】
３．オリジナル表示フラグを調べる。このフラグは通常はｏｎであるが、図１５においてボタン１４０を押すとｏｆｆになる。フラグがｏｎであれば終了、ｏｆｆであればステップＴ４に進む（ステップＴ３）。
【００５０】
４．本体画像の被写体に対応する属性を選ぶ。属性が複数ある場合はランダムに１つ選ぶ（ステップＴ４）。
【００５１】
５．ステップＴ４で選ばれた属性に対応する合成画像リストからランダムに１つ合成画像を選ぶ。
【００５２】
６．被写体が設定されていないか、属性が設定されていないか、合成画像が登録されていなければ終了。それ以外はステップＴ７へ（ステップＴ６）。
【００５３】
７．０〜Ｎ（Ｎは自然数の定数）の乱数を発生させる（ステップＴ７）。
【００５４】
８．ステップＴ７で発生させた値がＭ以下（Ｍは０〜Ｎの間の値）であればステップＴ８へ、それ以外なら終了する（ステップＴ８）。ここで、Ｍの値により画像が合成される頻度が決まる。ユーザはこのＭの値を設定できるものとする。
【００５５】
９．ステップＴ５で選ばれた合成画像を画像表示エリア１３２に表示する。
【００５６】
【発明の効果】
以上説明したように、本発明によれば、情報としてユーザに提示する本体データを管理する本体データ管理手段と、本体データにユーザが属性を付与する属性付与手段と、属性に応じて付帯データを選出する付帯データ選出手段と、本体データと共に該付帯データをユーザに提示する提示手段と、を持つことにより、本体データを単に提示するだけでなく、そのデータに関連する付帯データを同時に提示することができるため、より表現力豊かなデータの提示ができるという効果が得られる。
【図面の簡単な説明】
【図１】本発明の実施の形態１，２に係る情報提示装置の概略構成を示すブロック図である。
【図２】図１の発信者−属性テーブル４の構造を示す図である。
【図３】アドレス帳をユーザが編集する際の画面である。
【図４】図３においてユーザが属性入力フィールド３４をポインティングデバイスによって指示した後の画面である。
【図５】図１の属性−パラグラフ分類テーブルを示す図である。
【図６】付加メッセージをユーザが編集する画面を示す図である。
【図７】本発明の実施の形態１，２に係る情報提示装置がメールメッセージを表示している画面である。
【図８】図７においてボタン７４が押されて追加メッセージ８１，８２，８３がそれぞれ３つのパラグラフの後に挿入されている状態を示す図である。
【図９】図７及び図８においてメッセージが表示される手順を示すフローチャートである。
【図１０】本発明の実施の形態３に係る情報提示装置の概略構成を示すブロック図である。
【図１１】本発明の実施の形態４に係る情報提示装置の概略構成を示すブロック図である。
【図１２】属性と合成画像リスト１０４の関連を示す図である。
【図１３】本体画像管理部１０１に格納された画像の１つを表示している図である。
【図１４】図１３においてボタン１３７を押した後の画面を示す図である。
【図１５】本体画像に被写体の属性に応じた合画像が合成された図である。
【図１６】図１３及び図１５において画像が表示される手順を示すフローチャートである。
【符号の説明】
１    本文メッセージ管理部
２    付加メッセージ選出部
３    パラグラフ解析部
４    発信者−属性テーブル
５    属性−パラグラフ分類テーブル
６    付加メッセージリスト
７    付加メッセージ挿入部
８      ＧＵＩ
９    音声合成部
２１    メールアドレス
２２    名前
２３    属性
３１    アドレス帳編集ウィンドウ
３２    メールアドレス入力フィールド
３３    名前入力フィールド
３４    属性入力フィールド
３５    電話番号入力フィールド
３６    住所入力フィールド
３７    属性選択ポップアップウィンドウ
５１    属性
５２    パラグラフ分類
５３    付加メッセージリスト
５４    属性−パラグラフ要約の組に対応する付加メッセージリストの例
６１    付加メッセージ編集ウィンドウ
６２    属性入力フィールド
６３    パラグラフ分類選択フィールド
６４    付加メッセージ入力フィールド
７１    メッセージ表示ウィンドウ
７２    ヘッダ表示エリア
７３    メッセージ表示エリア
７４    付加メッセージ挿入切り替えボタン
７５    パラグラフ１
７６    パラグラフ２
７７    パラグラフ３
８１    付加メッセージ１
８２    付加メッセージ２
８３    付加メッセージ３
１０１  本体画像管理部
１０２  合成画像選出部
１０３  被写体−属性テーブル
１０４  合成画像リスト
１０５  画像合成部
１０６  ＧＵＩ
１２１  属性１
１２２  属性１に対応する合成画像１
１２３  属性１に対応する合成画像２
１２４  属性２
１２５  属性２に対応する合成画像１
１２６  属性２に対応する合成画像２
１３１  画像表示ウィンドウ
１３２  画像表示部
１３３  本体画像
１３４  次の画像を表示するボタン
１３５  前の画像を表示するボタン
１３６  表示されている画像を削除するボタン
１３７  表示されている画像の被写体を設定するボタン
１３８  合成画像１
１３９  合成画像２
１４０  オリジナル画像表示ボタン
１４１  被写体設定ウィンドウ
１４２  被写体リスト
１４３  選択されている被写体
１４４  設定ボタン
１４５  キャンセルボタン
【図１】
2004280421.tif 000003
【図２】
2004280421.tif 000004
【図３】
2004280421.tif 000005
【図４】
2004280421.tif 000006
【図５】
2004280421.tif 000007
【図６】
2004280421.tif 000008
【図７】
2004280421.tif 000009
【図８】
2004280421.tif 000010
【図９】
2004280421.tif 000011
【図１０】
2004280421.tif 000012
【図１１】
2004280421.tif 000013
【図１２】
2004280421.tif 000014
【図１３】
2004280421.tif 000015
【図１４】
2004280421.tif 000016
【図１５】
2004280421.tif 000017
【図１６】
2004280421.tif 000018